(57)【特許請求の範囲】
【請求項１】
放送呼び出しサイクルを有する周期的強化放送呼び出し方式が用いられる無線通信システムで順方向共通制御チャネル（Ｆｏｒｗａｒｄ―Ｃｏｍｍｏｎ  Ｃｏｎｔｒｏｌ  Ｃｈａｎｎｅｌ；Ｆ―ＣＣＣＨ）を用いて、基地局から少なくとも１つの移動局に放送メッセージを伝送する方法であって、
前記方法は、
前記少なくとも１つの移動局に放送メッセージを伝送するために用いられる放送制御チャネル（Ｂｒｏａｄｃａｓｔ  Ｃｏｎｔｒｏｌ  Ｃｈａｎｎｅｌ；ＢＣＣＨ）の数に関連する情報を伝送することと、
前記情報が、ＢＣＣＨがサポートされていないことを示す値を含む場合に、
複数の放送メッセージが１番目のスロットに適している場合には、Ｆ―ＣＣＣＨの放送呼び出しサイクルの前記１番目のスロットを通して前記複数の放送メッセージを伝送し、
前記複数の放送メッセージが前記１番目のスロットに適していない場合には、前記１番目のスロットを通して複数の放送呼び出しメッセージを伝送し、かつ、前記伝送された複数の放送呼び出しメッセージに従って、前記放送呼び出しサイクルのうちの少なくとも１つの後続のスロットを通して前記複数の放送メッセージを伝送することと
を含み、前記複数の放送呼び出しメッセージの各々は、ＢＣＣＨがサポートされているか否かによって異なる情報を含んでいる、方法。
【請求項２】
前記複数の放送呼び出しメッセージの各々は、強化放送呼び出しである、請求項１に記載の方法。
【請求項３】
各強化放送呼び出しは、後続の放送スロットと関連している、請求項２に記載の方法。
【請求項４】
前記放送スロットは、少なくとも１つの伝送する放送メッセージを含む、請求項３に記載の方法。
【請求項５】
前記複数の放送メッセージの各々に関連したスロットは、対応する放送呼び出しメッセージにおいて特定された時間オフセットによって決定される、請求項１に記載の方法。
【請求項６】
少なくとも一つの放送呼び出しメッセージと関連した少なくとも一つの放送メッセージは、ｎ個の放送スロット以後に伝送される、請求項５に記載の方法。
【請求項７】
２番目の放送メッセージの反復のためのスロットは、１番目の放送メッセージのスロットからの時間オフセットを介して特定される、請求項１に記載の方法。
【請求項８】
前記複数の放送メッセージの数および大きさに基づいて、前記複数の放送メッセージが前記放送呼び出しサイクルの１番目のスロットに適するか否かを決定することをさらに包含する請求項１に記載の方法。
【請求項９】
１つのみの放送メッセージが伝送されるべき場合、単一放送メッセージを、前記放送呼び出しサイクルの１番目のスロットから始めて伝送することをさらに包含する、請求項１に記載の方法。
【発明の詳細な説明】
【技術分野】
【０００１】
本発明は、放送メッセージを伝送する方法に関するもので、より詳細には、移動通信システムで放送メッセージを伝送する方法に関するものである。
【背景技術】
【０００２】
放送メッセージは、データバーストメッセージを用いて全ての移動局または特定グループの移動局に放送形態で伝送される。これと同時に、各移動局は、前記放送メッセージを受信するとき、特定モードにある。
【０００３】
順方向共通制御チャネル（Ｆｏｒｗａｒｄ―Ｃｏｍｍｏｎ  Ｃｏｎｔｒｏｌ  Ｃｈａｎｎｅｌ；以下、‘Ｆ―ＣＣＣＨ’という。）と第２放送制御チャネル（Ｓｅｃｏｎｄａｒｙ―Ｂｒｏａｄｃａｓｔ  Ｃｏｎｔｒｏｌ  Ｃｈａｎｎｅｌ；以下、‘Ｓ―ＢＣＣＨ’という。）を通して放送メッセージが伝送されると、伝送する放送メッセージに関する制御情報は、Ｆ―ＣＣＣＨを通して送られる。例えば、制御情報は、放送メッセージが伝送されたかどうかに関する情報と、Ｓ―ＢＣＣＨ上で放送メッセージが伝送される位置を知らせる強化放送呼び出し（Ｅｎｈａｎｃｅｄ  Ｂｒｏａｄｃａｓｔ  Ｐａｇｅ）情報を含む。
【０００４】
一方、従来技術によると、前記放送メッセージは、Ｓ―ＢＣＣＨを通して伝送される。より詳細に説明すると、放送メッセージは、Ｐ―ＢＣＣＨ（Ｐｒｉｍａｒｙ―Ｂｒｏａｄｃａｓｔ  Ｃｏｎｔｒｏｌ  Ｃｈａｎｎｅｌ）を通して伝送されない。Ｐ―ＢＣＣＨは、オーバーヘッドメッセージを伝送するときのみに使用される。さらに、放送メッセージは、Ｆ―ＣＣＣＨを通しても伝送されない。しかし、前記強化放送呼び出し情報は、多重―スロット強化放送呼び出し（Ｍｕｌｔｉ―ｓｌｏｔ  Ｅｎｈａｎｃｅｄ  Ｂｒｏａｄｃａｓｔ  Ｐａｇｉｎｇ）方式または周期的強化放送呼び出し（Ｐｅｒｉｏｄｉｃ  Ｅｎｈａｎｃｅｄ  Ｂｒｏａｄｃａｓｔ  Ｐａｇｉｎｇ）方式で伝送される。
【０００５】
図１は、多重―スロット強化放送呼び出し方式を示す一例である。具体的に、前記多重―スロット強化放送呼び出し方式は、スロットモードで動作する全ての移動局が放送信号を受信できるように、Ｆ―ＣＣＣＨスロットの間に強化放送呼び出し情報を伝送する方式である。ここで、全ての移動局は、放送信号を受信するためにスロットモードにある。図１に示すように、Ｆ―ＣＣＣＨの最大ページング循環周期が１６スロットであると、強化放送呼び出し情報は、１６スロットの間に連続的に伝送される。そして、強化放送呼び出し情報は、前記Ｆ―ＣＣＣＨ上で互いに異なるスロットを受信する全ての移動局によって受信される。
【０００６】
図２は、ＢＣＡＳＴ＿ＩＮＤＥＸが１である場合の周期的強化放送呼び出し方式を示す一例である。
【０００７】
図２において、周期的強化放送呼び出し方式が使用されるかどうかに関する情報は、ＭＣ―ＲＲパラメータメッセージのＢＣＡＳＴ＿ＩＮＤＥＸによって決定される。例えば、‘０００’で表示されたＢＣＡＳＴ＿ＩＮＤＥＸ値は、周期的強化放送呼び出し方式が使用されないことを意味する。一方、ＢＣＡＳＴ＿ＩＮＤＥＸ値が‘０００’でない場合、（Ｂ＋７）の放送呼び出しサイクル周期を有する周期的強化放送呼び出し方式が使用される。前記Ｂの値は、数学式１によって決定される。
（数学式１）
Ｂ＝２１＋ｉ×１６  １≦ｉ≦７
上記の数学式１において、ｉは、ＭＣ―ＲＲパラメータメッセージを通して伝送されるＢＣＡＳＴ＿ＩＮＤＥＸ値を示す。
【０００８】
図２において、ＢＣＡＳＴ＿ＩＮＤＥＸの値が１であるので、数学式１に適用すると、Ｂの値は６４であり、放送呼び出しサイクル周期は７１である。強化放送呼び出し情報は、放送呼び出しサイクルの１番目のＦ―ＣＣＣＨスロットを通して伝送される。そして、強化放送呼び出し情報には、ＢＣＣＨ＿ＩＮＤＥＸとＴＩＭＥ＿ＯＦＦＳＥＴが含まれる。結果的に、Ｓ―ＢＣＣＨと放送メッセージの伝送時点は、強化放送呼び出し情報によって確認される。
【０００９】
複数のＢＣＣＨは、放送チャネル番号（Ｂｒｏａｄｃａｓｔ  Ｃｏｎｔｒｏｌ  Ｃｈａｎｎｅｌ  Ｎｕｍｂｅｒ；以下、‘ＢＣＮ’という。）によって区分される。具体的に、Ｐ―ＢＣＣＨのＢＣＮ値は１であり、Ｓ―ＢＣＣＨのＢＣＮ値は２〜８の値である。放送メッセージは、強化放送呼び出し情報の伝送時点を基準にして４０×（１＋ＴＩＭＥ＿ＯＦＦＳＥＴ）ｍｓ後にＳ―ＢＣＣＨを通して伝送される。ここで、Ｓ―ＢＣＣＨのＢＣＮ値は、ＢＣＣＨ＿ＩＮＤＥＸ＋１である。
【００１０】
上述したように、放送メッセージを伝送するためには、まず、放送メッセージの伝送可否及び放送メッセージの伝送位置を知らせる強化放送呼び出し情報をＦ―ＣＣＣＨを通して伝送すべきである。そして、実際の放送メッセージは、Ｓ―ＢＣＣＨを通して伝送される。しかしながら、この伝送方式には、Ｆ―ＣＣＣＨを通して実際の放送メッセージを伝送できないという問題点がある。
【発明の開示】
【発明が解決しようとする課題】
【００１１】
したがって、本発明は、従来技術の制約及び短所に起因する一つ以上の問題点を実質的に解決するためのもので、移動通信システムで放送メッセージを伝送する方法に関するものである。
【００１２】
本発明の一つの目的は、複数の放送メッセージが放送呼び出しサイクルのうち少なくとも一つのスロットを通して伝送される場合、無線通信システムのＦ―ＣＣＣＨを用いて放送メッセージを伝送する方法を提供することにある。
【００１３】
本発明の他の目的は、一つの放送メッセージが放送呼び出しサイクルのうち少なくとも一つのスロットを通して伝送される場合、無線通信システムのＦ―ＣＣＣＨを用いて放送メッセージを伝送する方法を提供することにある。
【００１４】
本発明の追加的な目的は、最大ページング循環の各スロットに含まれた少なくとも一つの放送メッセージが伝送される場合、無線通信システムのＦ―ＣＣＣＨを用いて放送メッセージを伝送する方法を提供することにある。
【００１５】
本発明の追加的な長所、目的及び特徴は、以下の一部の詳細な説明を通して展開されるもので、以下の一部の詳細な説明に基づいて前記技術分野で通常の技術を有する者にとって明らかになるか、または、本発明の実施例から把握される。本発明の目的及び他の長所は、詳細な説明、添付された図面、及び特許請求の範囲を通して特別に指摘された構造によって実現または達成される。
【課題を解決するための手段】
【００１６】
ここで具体化されて包括的に説明されるように、上記のような目的及び他の長所を実現し、本発明の目的と一致させるために、無線通信システムのＦ―ＣＣＣＨを用いて放送メッセージを伝送する方法は、周期的強化放送呼び出しが使用されるかどうかを決定し、周期的強化放送呼び出しを使用する場合、Ｆ―ＣＣＣＨの放送呼び出しサイクルのうち１番目のスロットを通して少なくとも一つの放送メッセージを伝送する基地局を含む。
【００１７】
本発明の他の様相として、基地局は、周期的強化放送呼び出しが使用されるかどうかを決定し、周期的強化放送呼び出しを使用する場合、Ｆ―ＣＣＣＨの放送呼び出しサイクルのうち少なくとも一つのスロットを通して放送メッセージを伝送する。
【００１８】
また、本発明の更に他の様相として、基地局は、まず、周期的強化放送呼び出しが使用されるかどうかを決定する。そして、基地局は、周期的強化放送呼び出しを使用する場合、Ｆ―ＣＣＣＨの放送呼び出しサイクルのうち少なくとも一つのスロットを通して少なくとも一つの放送メッセージを伝送する。また、基地局は、放送呼び出しメッセージの順序による連続的な放送スロットで少なくとも一つの放送メッセージを伝送する。
【００１９】
本発明の更に他の様相として、基地局は、移動局に放送メッセージを提供するために最大スロットサイクルインデックスを伝送し、移動局は、最大サイクルインデックスを受信して最大呼び出しサイクルを決定する。その後、基地局は、Ｆ―ＣＣＣＨの最大呼び出しサイクルの各スロットに含まれた少なくとも一つの放送メッセージを伝送し、移動局は、最大呼び出しサイクルの特定スロットで少なくとも一つの放送メッセージを受信する。
【００２０】
本発明に対する上述した包括的な説明及び次の詳細な説明は、全て例示的かつ説明的なもので、特許請求の範囲に記載された本発明に対する付加的な説明を提供するためのものであることを理解すべきである。
【発明の効果】
【００２１】
本発明によると、複数の放送メッセージが放送呼び出しサイクルのうち少なくとも一つのスロットを通して伝送される場合、無線通信システムのＦ―ＣＣＣＨを用いて放送メッセージを伝送する方法を提供することができる。
【００２２】
また、本発明によると、一つの放送メッセージが放送呼び出しサイクルのうち少なくとも一つのスロットを通して伝送される場合、無線通信システムのＦ―ＣＣＣＨを用いて放送メッセージを伝送する方法を提供することができる。
【００２３】
さらに、本発明によると、最大ページング循環の各スロットに含まれた少なくとも一つの放送メッセージが伝送される場合、無線通信システムのＦ―ＣＣＣＨを用いて放送メッセージを伝送する方法を提供することができる。
【発明を実施するための最良の形態】
【００２４】
本発明の好適な実施例に対する説明では、参照が具体的に使用されており、本発明の各例は、添付された図面に基づいて説明される。図中の同一の参照番号は、同一の部分または類似した部分を示すために使用される。
【００２５】
移動局は、放送メッセージを伝送するために使用されるＳ―ＢＣＣＨが支援されるかどうかを知る権利を有する。
【００２６】
移動局は、前記Ｓ―ＢＣＣＨが支援されるかどうかをＭＣ―ＲＲパラメータメッセージに含まれたＮＵＭ＿ＢＣＣＨ＿ＢＣＡＳＴ値に基づいて決定することができる。例えば、ＮＵＭ＿ＢＣＣＨ＿ＢＣＡＳＴ値が‘０００’であると、移動局は、Ｓ―ＢＣＣＨが支援されないと判断し、ＮＵＭ＿ＢＣＣＨ＿ＢＣＡＳＴ値が‘０００’でないと、Ｓ―ＢＣＣＨが支援されると判断し、支援されるＳ―ＢＣＣＨの数がＮＵＭ＿ＢＣＣＨ＿ＢＣＡＳＴの値と同一であるので、支援されるＳ―ＢＣＣＨの数を判断することができる。
【００２７】
本発明は、ＮＵＭ＿ＢＣＣＨ＿ＢＣＡＳＴ値が‘０００’である場合、結果的に放送メッセージを伝送するためのＳ―ＢＣＣＨを支援しない場合に適用される。Ｓ―ＢＣＣＨが支援されない場合、二つの伝送方式、すなわち、多重―スロット放送メッセージ伝送方式と周期的強化放送呼び出し伝送方式を使用することができる。
【００２８】
図３は、最大呼び出しサイクルが１６スロットである場合の多重―スロット放送メッセージ伝送方式の一例を示す図である。図３に示すように、多重―スロット強化放送呼び出し方式は、全ての移動局が受信できるように、Ｆ―ＣＣＣＨスロットを通して強化放送呼び出し情報を伝送する方式である。ここで、全ての移動局は、放送信号を受信するためにスロットモードにある。そして、多重―スロット強化放送呼び出し方式は、放送メッセージがＦ―ＣＣＣＨの一つのスロットを通して伝送される場合に適用される。
【００２９】
基地局がＦ―ＣＣＣＨ上の１６スロットを通して放送メッセージを継続的に伝送すると、セル内の各移動局がＦ―ＣＣＣＨ上の互いに異なるスロットを通して放送メッセージを受信する場合も、各移動局は、放送メッセージを成功的に受信することができる。
【００３０】
図４は、本発明の第１実施例に係る周期的強化放送呼び出し伝送方式の一例を示す図である。図４において、ＭＣ―ＲＲパラメータメッセージを通して伝送されるＢＣＡＳＴ＿ＩＮＤＥＸ値は１であり、３個の放送メッセージが一つのスロットを通して伝送される。複数の放送メッセージが一つのスロットを通して伝送されると、放送メッセージは、放送呼び出しサイクルの１番目のスロットの間に伝送される。本実施例において、強化放送呼び出し情報、すなわち、Ｆ―ＣＣＣＨ上で放送メッセージを伝送するために使用されるスロットに関する情報を伝送する必要がない。
【００３１】
図５は、本発明の第２実施例に係る周期的強化放送呼び出し伝送方式の一例を示す図である。図５において、ＭＣ―ＲＲパラメータメッセージを通して伝送されるＢＣＡＳＴ＿ＩＮＤＥＸ値は１であり、放送メッセージの長さは３スロットを占める。図５に示すように、伝送する放送メッセージが一つだけで、一つの放送メッセージが３スロットを通して伝送されるべきである場合、放送メッセージは、１番目のスロットから連続的に三つのスロットを用いて伝送される。第１実施例と同様に、本実施例においても、前記強化放送呼び出し情報を伝送する必要がない。
【００３２】
図６は、本発明の第３実施例に係る周期的強化放送呼び出し伝送方式の一例を示す図である。図６において、ＭＣ―ＲＲパラメータメッセージを通して伝送されるＢＣＡＳＴ＿ＩＮＤＥＸ値は１であり、伝送する放送メッセージが３個ある。本実施例において、伝送する放送メッセージが少なくとも一つあり、各放送メッセージの長さは一つのスロットに許容された長さを超える。図６に示すように、放送呼び出しサイクルの１番目のスロットにおいて、放送メッセージの伝送可否とＦ―ＣＣＣＨ上での放送メッセージの位置を知らせる強化放送呼び出し情報が伝送される。
【００３３】
そして、ｎスロット後に、各強化放送呼び出しに該当する放送メッセージが伝送されるべきである。すなわち、１番目の強化放送呼び出しに該当する放送メッセージはｎスロット後に伝送され、２番目の強化放送呼び出しに該当する放送メッセージは２ｎ後に伝送され、３番目の強化放送呼び出しに該当する放送メッセージは３ｎスロット後に伝送され、ｋ番目の強化放送呼び出しに該当する放送メッセージはｋ×ｎスロット後に伝送される。
【００３４】
図６は、ｎが７である場合の一例を示す図である。図６において、伝送する放送メッセージが３個であり、ｎが７であるので、１番目の強化放送呼び出しに該当する放送メッセージは７スロット後に伝送され、２番目の強化放送呼び出しに該当する放送メッセージは１４スロット後に伝送され、３番目の強化放送呼び出しに該当する放送メッセージは２１スロット後に伝送され、以下、同一の方式である。
【００３５】
前記強化放送呼び出し情報は、ＧＰＭ（Ｇｅｎｅｒａｌ  Ｐａｇｅ  Ｍｅｓｓａｇｅ）またはＵＰＭ（Ｕｎｉｖｅｒｓａｌ  Ｐａｇｅ  Ｍｅｓｓａｇｅ）を通して伝送される。次の表１は、本発明に係るＧＰＭフォーマットの一例を示すものである。
【００３６】
【表１−１】
0004885885.tif 000002
【００３７】
【表１−２】
0004885885.tif 000003
放送呼び出しのためのＰＤＵフォーマット：このレコード（ｒｅｃｏｒｄ）と関連したレイヤー３（Ｌａｙｅｒ３）フィールドが存在しない。
【００３８】
【表１−３】
0004885885.tif 000004
ＮＵＭ＿ＢＣＣＨ＿ＢＣＡＳＴ＝‘０００’である場合の強化放送呼び出しのためのＰＤＵフォーマット；このレコード（ｒｅｃｏｒｄ）と関連したレイヤー３（Ｌａｙｅｒ３）フィールドが存在しない。
【００３９】
表２は、本発明に係るＵＰＭのフォーマットの一例を示すものである。
【００４０】
【表２−１】
0004885885.tif 000005
【００４１】
【表２−２】
0004885885.tif 000006
ｍｏｂｉｌｅ  ｓｔａｔｉｏｎ―ｄｉｒｅｃｔｅｄメッセージ通知のためのＰＤＵフォーマット：このレコード（ｒｅｃｏｒｄ）と関連したレイヤー３（Ｌａｙｅｒ３）フィールドが存在しない。
【００４２】
【表２−３】
0004885885.tif 000007
ＮＵＭ＿ＢＣＣＨ＿ＢＣＡＳＴ＝‘０００’である場合の強化放送呼び出しのためのＰＤＵフォーマット；このレコード（ｒｅｃｏｒｄ）と関連したレイヤー３（Ｌａｙｅｒ３）フィールドが存在しない。
【００４３】
表１及び表２に示すように、ＮＵＭ＿ＢＣＣＨ＿ＢＣＡＳＴ値が‘０００’でない場合は、放送メッセージ伝送のためのＳ―ＢＣＣＨが存在するので、Ｓ―ＢＣＣＨを通した受信のための情報が伝送される。しかし、ＮＵＭ＿ＢＣＣＨ＿ＢＣＡＳＴ値が‘０００’であると、放送メッセージを伝送するためのＳ―ＢＣＣＨが存在しない。このように、放送メッセージはＦ―ＣＣＣＨを通して伝送され、放送情報と関連した情報を伝送する必要がない。
【００４４】
表３は、本発明に係るＧＰＭフォーマットの他の例を示すものである。
【００４５】
【表３−１】
0004885885.tif 000008
【００４６】
【表３−２】
0004885885.tif 000009
放送呼び出しのためのＰＤＵフォーマット：このレコード（ｒｅｃｏｒｄ）と関連したレイヤー３（Ｌａｙｅｒ３）フィールドが存在しない。
【００４７】
【表３−３】
0004885885.tif 000010
表３の‘強化放送呼び出しのためのＰＤＵフォーマット’の該当フィールドは、Ｓ―ＢＣＣＨが支援されるかどうかによって他の情報を含むことができる。すなわち、ＮＵＭ＿ＢＣＣＨ＿ＢＣＡＳＴ値が‘０００’であるかどうかによって、他の情報が含まれる。
【００４８】
例えば、ＮＵＭ＿ＢＣＣＨ＿ＢＣＡＳＴ値が‘０００’でない場合、基地局は、‘強化放送呼び出しのためのＰＤＵフォーマット’の該当フィールドの値を、放送メッセージの伝送フォーマットによって有効な値に設定する。これと同時に、移動局も、基地局から伝送された有効な値を用いて放送メッセージを受信する。
【００４９】
一方、ＮＵＭ＿ＢＣＣＨ＿ＢＣＡＳＴ値が‘０００’であると、基地局は、前記‘強化放送呼び出しのためのＰＤＵフォーマット’の該当フィールドの値を、使用されない値または無意味なデフォルト値に設定することができる。この場合、移動局は、前記フィールドの値を有効でない値と判断し、この値を放送メッセージ受信のために使用しない。
【００５０】
例えば、ＮＵＭ＿ＢＣＣＨ＿ＢＣＡＳＴ値が‘０００’であると、基地局は、ＢＣＣＨ＿ＩＮＤＥＸ値を、現在使用されない値に設定することができる。これと同時に、ＴＩＭＥ＿ＯＦＦＳＥＴ値は、‘００００００００００’のように無意味な値に設定することができる。また、ＲＥＰＥＡＴ＿ＴＩＭＥ＿ＯＦＦＳＥＴ値とＡＤＤ＿ＢＣＡＳＴ＿ＳＤＵ＿ＬＥＮＧＴＨ値は、ＥＸＴ＿ＢＣＡＳＴ＿ＳＤＵ＿ＬＥＮＧＴＨ＿ＩＮＤを‘００’に設定することで排除される。
【００５１】
表４は、本発明に係るＵＰＭフォーマットの他の例を示すものである。
【００５２】
【表４−１】
0004885885.tif 000011
【００５３】
【表４−２】
0004885885.tif 000012
ｍｏｂｉｌｅ  ｓｔａｔｉｏｎ―ｄｉｒｅｃｔｅｄメッセージ通知のためのＰＤＵフォーマット：このレコード（ｒｅｃｏｒｄ）と関連したレイヤー３（Ｌａｙｅｒ３）フィールドが存在しない。
【００５４】
【表４−３】
0004885885.tif 000013
表４の‘強化放送呼び出しのためのＰＤＵフォーマット’の該当フィールドは、Ｓ―ＢＣＣＨが支援されるかどうかによって他の情報を含むことができる。すなわち、ＮＵＭ＿ＢＣＣＨ＿ＢＣＡＳＴ値が‘０００’であるかどうかによって、他の情報が含まれる。例えば、ＮＵＭ＿ＢＣＣＨ＿ＢＣＡＳＴ値が‘０００’でない場合、基地局は、‘強化放送呼び出しのためのＰＤＵフォーマット’の該当フィールドの値を、放送メッセージの伝送フォーマットによって有効な値に設定する。これと同時に、移動局は、前記基地局から伝送された有効な値を用いて放送メッセージを受信する。
【００５５】
一方、ＮＵＭ＿ＢＣＣＨ＿ＢＣＡＳＴ値が‘０００’であると、基地局は、‘強化放送呼び出しのためのＰＤＵフォーマット’の該当フィールドの値を、使用されない値または無意味なデフォルト値に設定することができる。この場合、移動局は、前記フィールドの値を有効でない値と判断し、この値を放送メッセージ受信のために使用しない。
【００５６】
例えば、ＮＵＭ＿ＢＣＣＨ＿ＢＣＡＳＴ値が‘０００’であると、基地局は、ＢＣＣＨ＿ＩＮＤＥＸ値を、現在使用されない値に設定することができる。これと同時に、基地局は、ＴＩＭＥ＿ＯＦＦＳＥＴ値を‘００００００００００’のように無意味な値に設定することができる。また、ＲＥＰＥＡＴ＿ＴＩＭＥ＿ＯＦＦＳＥＴ値とＡＤＤ＿ＢＣＡＳＴ＿ＳＤＵ＿ＬＥＮＧＴＨ値は、ＥＸＴ＿ＢＣＡＳＴ＿ＳＤＵ＿ＬＥＮＧＴＨ＿ＩＮＤを‘００’に設定することで排除される。
【００５７】
前記強化放送呼び出し方式と関連し、同一の放送メッセージまたは同一の強化放送呼び出し情報を再伝送しようとする場合、最初に伝送された放送メッセージまたは強化放送呼び出し情報は、最初の伝送開始点から一定時間周期後に再伝送されるべきである。例えば、再伝送は、最初伝送の（４×（Ｂ＋７））スロット以内に発生すべきである。
【００５８】
本発明の技術的思想及び範囲から逸脱せずに、本発明で多様な変形及び変更がなされることは、本発明の属する技術分野で通常の知識を有する者にとって自明である。したがって、本発明は、添付された特許請求の範囲及びその均等物内で提供される発明の変形及び変更を含む。
【図面の簡単な説明】
【００５９】
【図１】多重―スロット強化放送呼び出し方式を示す一例である。
【図２】ＢＣＡＳＴ＿ＩＮＤＥＸが１である場合の周期的強化放送呼び出し方式を説明する一例を示す図である。
【図３】最大呼び出しサイクルが１６スロットである多重―スロット放送メッセージ伝送方式を説明する一例を示す図である。
【図４】本発明の第１実施例に係る周期的強化放送呼び出し伝送方式を説明する一例を示す図である。
【図５】本発明の第２実施例に係る周期的強化放送呼び出し伝送方式を説明する一例を示す図である。
【図６】本発明の第３実施例に係る周期的強化放送呼び出し伝送方式を説明する一例を示す図である。
【図１】
0004885885.tif 000014
【図２】
0004885885.tif 000015
【図３】
0004885885.tif 000016
【図４】
0004885885.tif 000017
【図５】
0004885885.tif 000018
【図６】
0004885885.tif 000019